(57)【要約】【課題】発光部及び受光部の部品点数を減らしつつ、点滴筒の内部の広い範囲にわたって液滴を検出可能な点滴監視センサを提供する。【解決手段】点滴監視センサは、点滴筒に装着可能であり、前記点滴筒の内部を落下する液体を監視する点滴監視センサであって、前記点滴筒の内部に光を照射可能な発光部と、前記発光部により照射された前記光を、前記点滴筒における液滴の滴下方向に交差する面内で再帰反射させる再帰反射部と、前記再帰反射部により再帰反射した光を受光可能な受光部と、を備える。【選択図】図３
2020141865.tif 000002
【特許請求の範囲】
【請求項１】
点滴筒に装着可能であり、前記点滴筒の内部を落下する液体を監視する点滴監視センサであって、
前記点滴筒の内部に光を照射可能な発光部と、
前記発光部により照射された前記光を、前記点滴筒における液滴の滴下方向に交差する面内で再帰反射させる再帰反射部と、
前記再帰反射部により再帰反射した光を受光可能な受光部と、
を備える、点滴監視センサ。
【請求項２】
前記再帰反射部を複数備え、
前記複数の再帰反射部は、前記点滴筒を挟んで、互いに対向した位置に配置されている、
請求項１に記載の点滴監視センサ。
【請求項３】
前記再帰反射部は、２つの反射面を有する２面コーナリフレクタにより構成されている、請求項１又は請求項２に記載の点滴監視センサ。
【請求項４】
前記２つの反射面は全反射面である、請求項３に記載の点滴監視センサ。
【請求項５】
前記再帰反射部は、前記再帰反射部により再帰反射される前の入射光と、前記再帰反射部により再帰反射された後の反射光との、前記液滴の滴下方向に直交する方向における距離が、前記液滴の液滴径よりも小さくなるように構成されている、請求項１から請求項４のいずれか一項に記載の点滴監視センサ。
【請求項６】
前記発光部及び前記受光部は、前記点滴筒に対して同じ側に配置されている、請求項１から請求項５のいずれか一項に記載の点滴監視センサ。
【発明の詳細な説明】
【技術分野】
【０００１】
本開示は、点滴監視センサに関する。
【背景技術】
【０００２】
栄養剤や薬液等の液体を、患者等の生体に投与するために、点滴筒を備えた輸液装置が用いられる。輸液装置は、点滴筒、輸液チューブ、その他の各種医療機器、等を備え、これらにより液体を輸送するための経路（輸液ライン）が形成されている。輸液チューブには、輸液ラインを流れる液体の流量を調整するための、クランプや輸液ポンプ等が装着されている。
【０００３】
上述の輸液装置等が備える点滴筒の内部を落下する液体を監視するための点滴監視センサが知られている。このような点滴監視センサの一例として、特許文献１には、平面上に複数の発光素子と受光素子とを配置した点滴監視センサが開示されている。特許文献１に開示された点滴監視センサのように、平面上に複数の発光素子と受光素子とを配置することにより、液滴が点滴筒のどこを通過しても、液滴を検出することができる。
【先行技術文献】
【特許文献】
【０００４】
【特許文献１】特開２０１４−２０４８９７号公報
【発明の概要】
【発明が解決しようとする課題】
【０００５】
しかしながら、例えば特許文献１に開示された点滴監視センサのように、複数の発光素子と受光素子とを有する場合、発光素子及び受光素子の部品点数が多い分、点滴監視センサのコストが増加し、点滴監視センサを構成する機器自体も大きくなる。
【０００６】
本開示の目的は、発光部及び受光部の部品点数を減らしつつ、点滴筒の内部の広い範囲にわたって液滴を検出可能な点滴監視センサを提供することを目的とする。
【課題を解決するための手段】
【０００７】
本開示の第１の態様としての点滴監視センサは、点滴筒に装着可能であり、前記点滴筒の内部を落下する液体を監視する点滴監視センサであって、前記点滴筒の内部に光を照射可能な発光部と、前記発光部により照射された前記光を、前記点滴筒における液滴の滴下方向に交差する面内で再帰反射させる再帰反射部と、前記再帰反射部により再帰反射した光を受光可能な受光部と、を備える。
【０００８】
本開示の１つの実施形態としての点滴監視センサは、前記再帰反射部を複数備え、前記複数の再帰反射部は、前記点滴筒を挟んで、互いに対向した位置に配置されている。
【０００９】
本開示の１つの実施形態としての点滴監視センサにおいて、前記再帰反射部は、２つの反射面を有する２面コーナリフレクタにより構成されている。
【００１０】
本開示の１つの実施形態としての点滴監視センサにおいて、前記２つの反射面は全反射面である。
【００１１】
本開示の１つの実施形態としての点滴監視センサにおいて、前記再帰反射部は、前記再帰反射部により再帰反射される前の入射光と、前記再帰反射部により再帰反射された後の反射光との、前記液滴の滴下方向に直交する方向における距離が、前記液滴の液滴径よりも小さくなるように構成されている。
【００１２】
本開示の１つの実施形態としての点滴監視センサにおいて、前記発光部及び前記受光部は、前記点滴筒に対して同じ側に配置されている。
【発明の効果】
【００１３】
本開示によれば、発光部及び受光部の部品点数を減らしつつ、点滴筒の内部の広い範囲にわたって液滴を検出可能な点滴監視センサを提供できる。
【図面の簡単な説明】
【００１４】
【図１】本開示の一実施形態に係る点滴監視センサが点滴筒に装着された状態の輸液装置の一例を示す図である。
【図２】図１の一部を拡大して示す図であり、点滴筒に装着されている状態の点滴監視センサの正面図である。
【図３】図１の点滴監視センサの概略構成を示す断面図である。
【図４】図３の再帰反射部の一例の概略構成を示す図である。
【発明を実施するための形態】
【００１５】
以下、本開示に係る点滴監視センサの一実施形態について図面を参照して説明する。各図において共通する部材には同一の符号を付している。本明細書において、上下方向とは鉛直方向を意味する。後述する点滴筒１１０は、生体への使用時において、軸方向が鉛直方向に沿うようにして配置される。上方は排出部１１２から見て滴下部１１１が位置する方向（すなわち、図２における上方）を意味し、下方はその反対方向を意味する。
【００１６】
図１は、一実施形態に係る点滴監視センサ１が点滴筒１１０に装着された状態の輸液装置１００の一例を示す図である。図２は、図１の一部を拡大して示す図であり、点滴筒１１０に装着されている状態の点滴監視センサ１の正面図である。
【００１７】
図１に示す輸液装置１００は、栄養剤や薬液等の液体を、患者等の生体に投与するために用いられる。輸液装置１００は、液体を生体まで輸送するための輸液ラインを形成している。具体的には、輸液装置１００は、液体が収容された輸液バッグ等の輸液容器１０１と、輸液容器１０１から供給される液体の流量を視認可能な点滴筒１１０と、生体に留置された留置針等に接続可能なコネクタ１０２と、これら各部材を接続する複数の輸液チューブ１０３と、を備えている。輸液ラインは、輸液容器１０１と、点滴筒１１０と、コネクタ１０２と、輸液チューブ１０３と、により形成されている。図１に示す例では、輸液装置１００は、輸液ラインを流れる液体の流量を調整するために、輸液チューブ１０３に装着されたクランプ１０４及び輸液ポンプ１０５をさらに備えている。
【００１８】
図２に示すように、点滴筒１１０は、輸液ラインの上流から輸送される液体を内部の滴下室１１３内に導入する滴下部１１１と、滴下室１１３内の液体を輸液ラインの下流に排出する排出部１１２と、滴下室１１３の周面を区画する周壁部１１４と、を備えている。周壁部１１４は、光透過性の素材で形成された光透過部を少なくとも一部に備えている。具体的には、周壁部１１４の光透過部は、少なくとも、後述する貯留液体１１７の液面よりも上方の位置に備えられている。
【００１９】
点滴筒１１０に輸送された液体は、滴下部１１１から液滴１１６として落下し、滴下室１１３内に貯留液体１１７として貯留される。排出部１１２は貯留液体１１７の一部を排出する。そのため、貯留液体１１７は適量に保たれる。
【００２０】
図１及び図２に示すように、点滴監視センサ１は、点滴筒１１０に装着可能である。例えば点滴監視センサ１は、装着部７０により点滴筒１１０に装着される。図１及び図２に示すように、点滴監視センサ１は、点滴筒１１０の周囲に装着された状態で使用される。具体的には、点滴監視センサ１は、点滴筒１１０に装着された状態で、点滴筒１１０の内部を落下する液体を監視することができる。より具体的には、本実施形態の点滴監視センサ１は、点滴筒１１０の内部の滴下室１１３内を落下する液滴１１６を監視することができる。図２に示すように、本実施形態の点滴監視センサ１は、点滴筒１１０の周壁部１１４の、貯留液体１１７の液面よりも上方に位置する光透過部の位置で、周壁部１１４を挟み込むようにして装着されている。
【００２１】
図３は、点滴監視センサ１の概略構成を示す断面図である。具体的には、図３は、図２に示す平面Ｈで切断した点滴監視センサ１を上から見た場合における断面図である。図２において、平面Ｈは、点滴監視センサ１の上下方向の中央を通る水平面である。図３に示すように、点滴監視センサ１は、本体１０と、基板２０と、発光部３０と、受光部４０と、レンズ５０と、複数の再帰反射部とを備える。図３に示す例では、点滴監視センサ１は、５つの再帰反射部を備える。具体的には、点滴監視センサ１は、５つの再帰反射部として、第１再帰反射部６０ａ、第２再帰反射部６０ｂ、第３再帰反射部６０ｃ、第４再帰反射部６０ｄ及び第５再帰反射部６０ｅを備える。本明細書において、第１再帰反射部６０ａ、第２再帰反射部６０ｂ、第３再帰反射部６０ｃ、第４再帰反射部６０ｄ及び第５再帰反射部６０ｅを区別しない場合には、これらをまとめて「再帰反射部６０」と記載する。
【００２２】
本体１０は、点滴監視センサ１の外形を規定するとともに、内部に各部材を保持する筐体である。本体１０は、図３に示されるように、上から見た場合に概略コの字型に形成される。点滴監視センサ１が点滴筒１１０に装着される場合には、コの字型の点滴監視センサ１の中央の空間に点滴筒１１０が位置するように配置される。
【００２３】
基板２０は、電子回路基板である。基板２０は、発光部３０及び受光部４０を保持するとともに、基板２０には、発光部３０及び受光部４０に電力を供給するための配線が施される。
【００２４】
発光部３０は、点滴筒１１０の内部に光を照射可能な光源である。発光部３０は、例えば、ＬＥＤ（Light Emitting Diode：発光ダイオード）又はＬＤ（Laser Diode：レーザダイオード）等の、光を照射する発光素子を含んで構成されている。本実施形態では、発光部３０が、発光素子としてＬＥＤを含んで構成されているとする。発光部３０は、発光素子から照射される光の中心光線が点滴筒１１０に照射されるように方向付けられる。なお、中心光線とは、発光素子から照射される最も強い光線を意味する。
【００２５】
受光部４０は、発光部３０から照射されて点滴筒１１０の内部を通った光を、受光可能である。本発明においては、詳細については後述するが、受光部４０は、発光部３０から照射されて、再帰反射部６０により再帰反射した光を受光可能である。受光部４０は、例えば、ＰＴ（Photo Transistor：フォトトランジスタ）又はＰＤ（Photo Diode：フォトダイオード）等の、受光素子を含んで構成されている。受光素子は、発光部３０が含む発光素子に応じて、適宜選択されたものであってよい。本実施形態では、受光部４０が、ＰＴを含んで構成されているとする。
【００２６】
本実施形態では、発光部３０及び受光部４０は、点滴筒１１０に対して、同じ側に配置されている。２つの構成要素が点滴筒１１０に対して同じ側に配置されているとは、２つの構成要素を結ぶ線が、点滴筒１１０と交わらないことをいう。つまり、発光部３０と受光部４０とが点滴筒１１０に対して同じ側に配置されているとは、発光部３０及び受光部４０の中心を結ぶ線が、点滴筒１１０と交わらないことをいう。
【００２７】
受光部４０は、受光した光の受光量に応じた受光信号を、例えば受光信号を増幅する増幅部を介する等して、液滴１１６の検出処理を実行する検出処理部（不図示）に出力する。
【００２８】
検出処理部は、受光部４０から出力された受光信号に基づいて、液滴１１６を検出する。具体的には、検出処理部は、受光部４０が受光した光の受光量の変化に基づいて、液滴１１６を検出する。検出処理部は、例えば受光部４０が受光する単位時間当たりの総受光量の変化に基づいて、液滴１１６を検出することができる。例えば、検出処理部は、受光部４０が受光する光の受光量が、所定時間において所定量以上変化した場合に、液滴１１６を検出する。検出処理部は、例えば、種々の情報及びプログラムを記憶する記憶装置、及び、当該記憶装置に記憶された種々の情報及びプログラムのうち、所定の情報及びプログラムを読み込むことにより所定の機能を実現するプロセッサ等により構成される。
【００２９】
なお、液滴１１６を検出する検出処理部を輸液ポンプ１０５に接続して、液滴１１６の検出の有無を、検出処理部から輸液ポンプ１０５に出力するようにしてもよい。この場合、検出処理部を輸液ポンプ１０５に、有線で接続してもよいし、無線で接続してもよい。
【００３０】
レンズ５０は、発光部３０から照射される光を平行にする。レンズ５０は、発光部３０に対して、中心光線が照射される方向に配置されることが好ましい。レンズ５０により、発光部３０から多方向に分散して照射される光が、一方向に方向づけられる。つまり、照射される光の指向性が高くなる。これによって、発光部３０から照射される光を、効率良く点滴筒１１０に照射することができ、その結果、より高い精度で点滴監視センサ１による点滴監視を行うことができる。
【００３１】
なお、発光部３０の性質によっては、点滴監視センサ１は必ずしもレンズ５０を備えていなくてもよい。例えば、発光部３０が、指向性が高いＬＤ等の発光素子を含んで構成される場合、点滴監視センサ１は、レンズ５０を備えていなくてもよい。
【００３２】
再帰反射部６０は、入射した光を再帰反射させる。再帰反射は、入射した光を、入射した方向に反射させる反射現象をいう。つまり、入射した光と、再帰反射により反射した光とは、平行で逆方向の光となる。
【００３３】
図４は、再帰反射部６０の一例の概略構成を示す図である。図４に示す再帰反射部６０は、再帰反射部６０を上から見た場合の図である。第１再帰反射部６０ａ、第２再帰反射部６０ｂ、第３再帰反射部６０ｃ、第４再帰反射部６０ｄ及び第５再帰反射部６０ｅは、全て図４に示す構成を有するものであってよい。
【００３４】
図４に示す再帰反射部６０は、いわゆる２面コーナリフレクタにより構成されている。２面コーナリフレクタにより構成される再帰反射部６０は、図４に示すように、第１反射面６１及び第２反射面６２という、２つの反射面を有する。第１反射面６１及び第２反射面６２は、上から見た場合に、直交するように配置されている。第１反射面６１及び第２反射面６２は、例えば、それぞれ第１ミラー６１ａ及び第２ミラー６２ａにより構成される。第１反射面６１及び第２反射面６２は、鉛直方向に、所定の長さにわたって延在する。所定の長さは、点滴筒１１０に装着した状態における点滴監視センサ１の本体１０の鉛直方向の長さ等に応じて、適宜定められてよい。
【００３５】
図４に示す破線は、光の経路を示す線であり、再帰反射部６０における再帰反射の例を示す線である。例えば図４に示すように、光が再帰反射部６０に照射され、入射光が第１反射面６１に入射したとする。当該入射光は、第１反射面６１において、入射角と反射角とが等しくなるように反射する。次に、第１反射面６１で反射した光は、第２反射面６２に入射し、第２反射面６２において、入射角と反射角とが等しくなるように反射する。第２反射面６２における反射光が、再帰反射部６０の反射光となる。ここで、第１反射面６１及び第２反射面６２が互いに直交する（つまり互いに９０°の関係にある）ため、再帰反射部６０に入射する光の角度に依らず、第２反射面６２で反射した光は、第１反射面６１への入射光とは、平行で逆方向に進む光となる。このようにして、再帰反射が実現される。
【００３６】
なお、再帰反射部６０に入射した光が最初に第２反射面６２に入射する場合も、同様の原理により、第１反射面６１における反射光が再帰反射部６０の反射光となることによって、再帰反射が実現される。
【００３７】
また、第１反射面６１及び第２反射面６２の距離や大きさを変えることにより、再帰反射部６０における入射光と反射光との間隔Ｄを適宜変えることができる。
【００３８】
２面コーナリフレクタにより構成される再帰反射部６０では、第１反射面６１及び第２反射面６２は、全反射面であることが好ましい。第１反射面６１及び第２反射面６２が全反射面であることにより、再帰反射部６０において光が減衰することなく、再帰反射が実現される。
【００３９】
再び図３を参照すると、本実施形態において、発光部３０と、受光部４０と、複数の再帰反射部６０とは、同一平面上に配置されている。具体的には、本実施形態では、発光部３０と、受光部４０と、複数の再帰反射部６０とは、平面Ｈ上に配置されている。複数の再帰反射部６０は、入射した光を、平面Ｈ内で再帰反射させる。
【００４０】
複数の再帰反射部６０は、点滴筒１１０を挟んで、互いに対向した位置に配置されている。ここで、２つの構成要素が点滴筒１１０を挟んで対向した位置に配置されているとは、２つの構成要素を結ぶ線が、点滴筒１１０と交わることをいう。
【００４１】
図３に示す例では、第１再帰反射部６０ａと第２再帰反射部６０ｂとが、点滴筒１１０を挟んで互いに対向した位置に配置されており、第２再帰反射部６０ｂと第３再帰反射部６０ｃとが、点滴筒１１０を挟んで互いに対向した位置に配置されており、第３再帰反射部６０ｃと第４再帰反射部６０ｄとが、点滴筒１１０を挟んで互いに対向した位置に配置されており、第４再帰反射部６０ｄと第５再帰反射部６０ｅとが、点滴筒１１０を挟んで互いに対向した位置に配置されている。
【００４２】
本実施形態では、さらに、発光部３０と第１再帰反射部６０ａとが、点滴筒１１０を挟んで互いに対向した位置に配置されており、第５再帰反射部６０ｅと受光部４０とが、点滴筒１１０を挟んで互いに対向した位置に配置されている。
【００４３】
より具体的には、発光部３０と第１再帰反射部６０ａとは、発光部３０から照射された光が、第１再帰反射部６０ａに対する入射光となるように、配置される。また、第１再帰反射部６０ａと第２再帰反射部６０ｂとは、第１再帰反射部６０ａにおける再帰反射の反射光が、第２再帰反射部６０ｂに対する入射光となるように、配置される。また、第２再帰反射部６０ｂと第３再帰反射部６０ｃとは、第２再帰反射部６０ｂにおける再帰反射の反射光が、第３再帰反射部６０ｃに対する入射光となるように、配置される。また、第３再帰反射部６０ｃと第４再帰反射部６０ｄとは、第３再帰反射部６０ｃにおける再帰反射の反射光が、第４再帰反射部６０ｄに対する入射光となるように、配置される。また、第４再帰反射部６０ｄと第５再帰反射部６０ｅとは、第４再帰反射部６０ｄにおける再帰反射の反射光が、第５再帰反射部６０ｅに対する入射光となるように、配置される。また、第５再帰反射部６０ｅと受光部４０とは、第５再帰反射部６０ｅにおける再帰反射の反射光が、受光部４０に受光されるように、配置される。
【００４４】
図３に示す破線は、光の経路を示す線であり、発光部３０から照射された光が、受光部４０により受光されるまでの経路を示す線である。図３に示すように、発光部３０から照射された光は、レンズ５０により平行な光となり、点滴筒１１０の内部を横切って、第１再帰反射部６０ａに入射する。第１再帰反射部６０ａに入射した光は、第１再帰反射部６０ａで再帰反射し、再帰反射した光が、点滴筒１１０の内部を横切って、第２再帰反射部６０ｂに入射する。第２再帰反射部６０ｂに入射した光は、第２再帰反射部６０ｂで再帰反射し、再帰反射した光が、点滴筒１１０の内部を横切って、第３再帰反射部６０ｃに入射する。第３再帰反射部６０ｃに入射した光は、第３再帰反射部６０ｃで再帰反射し、再帰反射した光が、点滴筒１１０の内部を横切って、第４再帰反射部６０ｄに入射する。第４再帰反射部６０ｄに入射した光は、第４再帰反射部６０ｄで再帰反射し、再帰反射した光が、点滴筒１１０の内部を横切って、第５再帰反射部６０ｅに入射する。第５再帰反射部６０ｅに入射した光は、第５再帰反射部６０ｅで再帰反射し、再帰反射した光が、点滴筒１１０の内部を横切って、受光部４０に入射することにより、受光部４０によって検出される。このようにして、発光部３０から照射された光が、各再帰反射部６０で再帰反射を繰り返し、最後に受光部４０により受光される。
【００４５】
液滴１１６が滴下部１１１から落下し、点滴筒１１０の平面Ｈを通過するとき、液滴１１６により、点滴筒１１０を横切る光が遮蔽、反射又は散乱すると、受光部４０で検出される光の受光量が変化する。この光の受光量の変化に基づいて、検出処理部は、液滴１１６を検出することができる。
【００４６】
このように、点滴監視センサ１は、発光部３０により照射された光を再帰反射させる再帰反射部６０を有し、再帰反射部６０で再帰反射した光が受光部４０により受光されるように構成されることにより、発光部３０及び受光部４０を複数有さなくとも、点滴筒１１０の内部において再帰反射される光が通過する範囲にわたって、液滴１１６を検出することができる。そのため、発光部３０及び受光部４０を複数備える点滴監視センサと比較して、発光部３０及び受光部４０の部品点数を減らしつつ、点滴筒１１０の内部の広い範囲にわたって液滴１１６を検出可能である。
【００４７】
特に、本実施形態のように、点滴監視センサ１が再帰反射部６０を複数備え、点滴筒１１０を挟んで互いに対向した位置に配置されている場合、発光部３０から照射された光は、点滴筒１１０内において複数回折り返すため、より広い範囲にわたって液滴１１６を検出可能となる。
【００４８】
また、本実施形態では、発光部３０及び受光部４０が点滴筒１１０に対して同じ側に配置されている。発光部３０と受光部４０とが点滴筒１１０を挟んで対向した位置に配置される場合には、基板を２つ配置するか、本体１０のコの字型の形状に合わせた基板を準備する必要があるが、これに対して、本実施形態の場合には、単純な形状（例えば矩形）の基板２０を１つのみ配置すれば十分である。従って、構成を単純にすることができる。なお、具体的には、例えば点滴監視センサ１が備える再帰反射部６０の数量が奇数個である場合、発光部３０と受光部４０とを、点滴筒１１０に対して同じ側に配置することができる。
【００４９】
上記実施形態において、再帰反射部６０は、再帰反射部６０により再帰反射される前の入射光と、再帰反射された後の反射光との、液滴１１６の滴下方向に直交する方向における距離が、液滴１１６の液滴径よりも小さくなるように構成されていることが好ましい。上記実施形態では、発光部３０、受光部４０及び複数の再帰反射部６０が全て水平な平面Ｈ上に配置されているため、再帰反射部６０により再帰反射される前後の入射光及び反射光の、液滴１１６の滴下方向に直交する方向における距離は、入射光と反射光との間隔Ｄに等しくなる。従って、本実施形態では、入射光と反射光との間隔Ｄが、液滴１１６の液滴径よりも小さくなるように構成されていることが好ましい。これにより、点滴筒１１０を通過する液滴１１６の液滴径が、間隔Ｄよりも大きくなるため、液滴１１６は、平面Ｈを通過するときに、点滴筒１１０内を横切る光と交差する。そのため、点滴監視センサ１は、確実に液滴１１６を検出することができる。
【００５０】
例えば、輸液容器１０１として、１ｍｌあたり６０滴の液滴を滴下するように構成された輸液バッグを用いる場合、液滴１１６を球形と考えると、液滴１１６の液滴径は、約３．１ｍｍとなる。従って、この場合、再帰反射部６０において、入射光と反射光との間隔Ｄが３．１ｍｍ未満となるように構成されていることにより、点滴監視センサ１は、確実に液滴１１６を検出することができる。間隔Ｄは、輸液容器１０１の仕様等により、適宜定められてもよく、用いられる輸液容器１０１のうち、最も液滴径が小さくなる液滴を滴下する輸液容器１０１の液滴を検出できるように構成されていてもよい。
【００５１】
上記実施形態において、発光部３０、受光部４０及び複数の再帰反射部６０が全て水平な平面Ｈ上に配置されていると説明した。しかしながら、発光部３０、受光部４０及び複数の再帰反射部６０は、必ずしも水平な平面Ｈ上に配置されていなくてもよい。発光部３０、受光部４０及び複数の再帰反射部６０は、液滴１１６の滴下方向に交差する一平面上に配置されていればよい。この構成により、点滴監視センサ１は、液滴１１６を検出することができる。
【００５２】
また、上記実施形態では、再帰反射部６０が２面コーナリフレクタにより構成される場合について説明した。しかしながら、再帰反射部６０の構成は、２面コーナリフレクタに限られない。例えば、再帰反射部６０は、入射光を再帰反射させることが可能なガラスビーズを含む、他の機構により構成されていてもよい。
【００５３】
また、上記実施形態では、点滴監視センサ１が５つの再帰反射部６０を備える場合について説明したが、再帰反射部６０の数量は５つに限られない。点滴監視センサ１は、１つ以上の再帰反射部６０を備えていればよい。点滴監視センサ１が備える再帰反射部６０の数量は、例えば点滴筒１１０の直径や、再帰反射部６０における入射光と反射光との間隔Ｄ等に応じて、適宜定められてよい。
【００５４】
本開示に係る点滴監視センサ１は、上述した各実施形態で特定された構成に限定されず、特許請求の範囲に記載した発明の要旨を逸脱しない範囲内で種々の変形が可能である。例えば、各部材又は各機構等に含まれる機能等は論理的に矛盾しないように再配置可能であり、複数の部材又は機構等を１つに組み合わせたり、或いは分割したりすることが可能である。
【産業上の利用可能性】
【００５５】
本開示は、点滴監視センサに関する。
【符号の説明】
【００５６】
１：点滴監視センサ
１０：本体
２０：基板
３０：発光部
４０：受光部
５０：レンズ
６０：再帰反射部
６０ａ：第１再帰反射部
６０ｂ：第２再帰反射部
６０ｃ：第３再帰反射部
６０ｄ：第４再帰反射部
６０ｅ：第５再帰反射部
６１：第１反射面
６１ａ：第１ミラー
６２：第２反射面
６２ａ：第２ミラー
７０：装着部
１００：輸液装置
１０１：輸液容器
１０２：コネクタ
１０３：輸液チューブ
１０４：クランプ
１０５：輸液ポンプ
１１０：点滴筒
１１１：滴下部
１１２：排出部
１１３：滴下室
１１４：周壁部
１１６：液滴
１１７：貯留液体
Ｄ：間隔
Ｈ：平面
【図１】
2020141865.tif 000003
【図２】
2020141865.tif 000004
【図３】
2020141865.tif 000005
【図４】
2020141865.tif 000006